(57)【要約】【課題】携帯電話によるメールの送受信のようなデータ通信をおこなう際に安価で高速な宅内無線ＬＡＮを利用することを目的とする。【解決手段】データを格納するデータ格納手段と第２の無線通信手段と第１の無線通信手段と第２の通信手段とを切り替える切り替え手段と第２の無線通信手段を使用して前記データ格納手段に格納されたデータを送信する送信手段を備える携帯端末を提供する。【選択図】図１
2007158905.tif 000002
【特許請求の範囲】
【請求項１】
第１の無線通信手段によって音声通信とデータ通信をおこなう携帯端末であって、
データを格納するデータ格納手段と、
第２の無線通信手段と、
前記第１の無線通信手段と前記第２の通信手段とを切り替える切り替え手段と、
前記第２の無線通信手段を使用して前記データ格納手段に格納されたデータを送信する送信手段と、
を具備したことを特徴とする携帯端末。
【請求項２】
請求項１に記載の携帯端末であって、
前記データ格納手段に格納された各々のデータに対する緊急度を格納するデータ緊急度格納手段と、
前記データ緊急度格納手段に格納されたデータの緊急度が高い場合に前記第１の無線通信手段からデータを送信することを特徴とする携帯端末。
【請求項３】
請求項１に記載の携帯端末であって、
前記データ格納手段に格納された各々のデータに対する緊急度を格納するデータ緊急度格納手段と、
前記第２の無線通信手段を検出する検出手段と、
前記データ緊急度格納手段に格納されたデータの緊急度が低い場合に前記第２の無線通信手段からデータを送信することを特徴とする携帯端末。
【請求項４】
第１の無線通信手段によって音声通信とデータ通信をおこなう携帯端末であって、
第１のデータを格納するデータ格納手段と、
第２のデータを格納するデータ格納手段と、
前記第１の無線通信手段と前記第２の通信手段とを切り替える切り替え手段と、
前記第２の無線通信手段にてデータを受信し、前記第２のデータ格納手段にデータを格納することを特徴とする携帯端末。
【請求項５】
請求項４に記載の携帯端末であって、
前記第２の無線通信手段を検出する検出手段と、
前記第１のデータ格納手段にデータが格納されている場合に前記第２の無線通信手段にてデータを受信し、前記第２のデータ格納手段にデータを格納することを特徴とする携帯端末。
【発明の詳細な説明】
【技術分野】
【０００１】
本発明は、携帯端末装置に関する。
【背景技術】
【０００２】
近年、無線通信機能が搭載された携帯型のパーソナル・コンピュータやＰＤＡの普及が進んでいる。このような無線移動端末は、アクセスポイントである無線基地局と無線通信を行い、この無線基地局を介してＬＡＮ（Local Area Network）やＷＡＮ(Wide Area Network)等のネットワークにアクセスすることが可能である。このような無線通信回線をネットワークの一部に使用するＬＡＮは、無線ＬＡＮと呼ばれている。これらの通信ネットワークは、従来の有線通信回線のみによる通信ネットワークに比べて、通信ケーブルの敷設といった手間と経費を削減できるだけでなく、無線移動端末を使用する人の移動の自由度が高いという長所がある。
【０００３】
例えば、特許文献１には、無線基地局と複数の無線移動端末との間で行われるそれぞれの無線通信について、個々のユーザに応じて優先度付けされた無線通信を簡易に実現する無線通信システムおよびその無線通信方法が記載されている。
【特許文献１】特開２００５−１５１３５９号公報
【発明の開示】
【発明が解決しようとする課題】
【０００４】
近年、携帯電話は高機能化の一途をたどっている。そのアプリケーションとして、メールやインターネットアクセスがある。メールの送受信は以下のような手順になる。まずＳＭＴＰ（Simple Mail Transfer Protocol）サーバにアクセスしメールヘッダ（Ｅ−ｍａｉｌのメッセージに付けられた宛先など属性を表す情報）やメッセージなどを送信する。ＳＭＴＰサーバはメールヘッダを相手先のＰＯＰ（Point of Production）サーバに送って、送り先が間違っていないかどうか確認する。メールのヘッダに間違いがなければ、ＳＭＴＰサーバは相手先ＰＯＰサーバにメール本文を送る。ＰＯＰサーバは受け取ったメールをユーザのメールボックスに保管する。ユーザから、メールの受信要求がＰＯＰサーバにくる。ＰＯＰサーバは、ユーザのメールボックスに保管されているメールを送信する。携帯電話でメールの送受信をおこなう際、パケット代と呼ばれるデータ量に比例した料金が請求される。
【０００５】
一方、パソコンによるインターネットアクセスは、ブロードバンド接続が一般化している。この方式のメリットは、通信速度が速い、定額制、常時接続、料金が安いという点があげられる。さらに、宅内でＬＡＮを構築する際、従来の有線による接続ではなく、無線による接続も一般化している。そこで、本発明では、携帯電話によるメールの送受信のようなデータ通信をおこなう際に安価で高速な宅内無線ＬＡＮを利用することを目的とする。
【課題を解決するための手段】
【０００６】
上記課題を解決するために、本発明に係る携帯端末はデータを格納するデータ格納手段と第２の無線通信手段と第１の無線通信手段と第２の通信手段とを切り替える切り替え手段と第２の無線通信手段を使用して前記データ格納手段に格納されたデータを送信する送信手段を備える。
【０００７】
また、本発明にかかる携帯端末は、さらにデータ格納手段に格納された各々のデータに対する緊急度を格納するデータ緊急度格納手段と前記データ緊急度格納手段に格納されたデータの緊急度が高い場合に第１の無線通信手段からデータを送信することを特徴とする。
また、本発明にかかる携帯端末は、さらにデータ格納手段に格納された各々のデータに対する緊急度を格納するデータ緊急度格納手段と前記データ緊急度格納手段に格納されたデータの緊急度が低い場合に第２の無線通信手段からデータを送信することを特徴とする。
【０００８】
また、本発明にかかる携帯端末は、第１の無線通信手段によって音声通信とデータ通信をおこなう携帯端末であって第１のデータを格納するデータ格納手段と第２のデータを格納するデータ格納手段と第１の無線通信手段と第２の通信手段とを切り替える切り替え手段と第２の無線通信手段にてデータを受信し、第２のデータ格納手段にデータを格納することを特徴する。
【発明の効果】
【０００９】
本発明によれば、携帯端末が第２の無線通信を確立したときに、送受信を行うことによって、低料金かつ高速な通信をおこなうことができる。
また、本発明では、低速で通信料金のかかる第１の無線通信手段のかわりに、高速で通信料金の安い第２の無線通信手段で送信することができ、緊急性の高いデータは広域をカバーしている第１の無線通信手段で送信することができ、緊急性の低いデータは高速で通信料金の安い第２の無線通信手段で送信することができ、受信するデータを高速で通信料金の安い第２の無線通信手段で受信することができる。
【発明を実施するための最良の形態】
【００１０】
以下、本発明の実施の形態を図面を用いて説明する。
【実施例１】
【００１１】
以下、本発明にかかる実施例１を、図１を参照しながら説明する。
まず、携帯端末２１は携帯電話網基地局１５または無線通信アクセスポイント１６を介して、インターネット網１８に接続されているメールサーバ１９やＷｅｂサーバ２０に接続し、各種のデータ通信を双方向におこなうことが可能となっている。携帯電話網基地局１５を介しておこなう通信は、いったん携帯電話網１７を経由し、図示しないゲートウェイと呼ばれるネットワーク変換装置を介してインターネット網１８に接続される。
この携帯電話網基地局１５を介した通信の特徴として、一般的に比較的低速である反面、携帯端末が利用可能な範囲は屋内・屋外を問わず広域である。また、無線通信アクセスポイント１６を介しておこなう通信は無線ＬＡＮと呼ばれ、ＩＥＥＥ（Institute of Electrical and Electronic Engineers）８０２．１１ｂ／ｇ／ａに準拠した規格が一般的であるが、他にもＢｌｕｅｔｏｏｔｈ（携帯情報機器向けの無線通信技術）と呼ばれる周波数ホッピングを用いた技術などがあり、本発明ではその技術は問わない。この無線通信アクセスポイント１６を介した通信の特徴として、前述の携帯電話網基地局１５を介した通信よりも高速である反面、携帯端末が利用できる範囲は狭い。
【００１２】
次に、本発明の実施例１にかかる携帯端末２１の機能の概略を説明する。
携帯端末２１の第１の機能として、音声の通話機能がある。音声入力部８から入力された音声は音声制御部６でサンプリングや量子化などの処理がおこなわれる。通話制御部５は、制御チャネルを使用して、音声通話に必要な通話チャネルを割り当て、またはその逆の処理をおこなう。通常、図示しないが、操作パネル上のオフフックボタンを操作者が押下したことを検出すると、携帯電話網／データ通信切り替え部２は通信路を携帯電話網送受信部１に切り替える。携帯電話網送受信部１は携帯電話網基地局１５と交信し音声信号を送信する。送信された音声信号は携帯電話網１７を経由して相手の携帯端末に届く。
逆に相手の携帯端末から送られた音声信号は、携帯電話網１７を経由し携帯電話網基地局１５から携帯電話網送受信部１で受信される。音声通話時、携帯電話網／データ通信網切り替え部２は通信路として携帯電話網送受信部１と通信パスを形成しており、受信した音声信号はこの通信路を通って通話制御部５に送られる。ここから音声制御部６によって復調およびスピーカ等に出力可能な音声信号に変換された後、音声出力部７にて出力される。
【００１３】
携帯端末２１の第２の機能として、メール機能がある。メール機能は大きく分けてメールの作成、メールの送信、メールの受信、メールの閲覧という４つの処理からなる。メールの作成は、操作者のキー入力にしたがってメールを作成し、メール格納部１１にメールを格納する処理である。メールの送信は、操作者のキー入力にしたがってメール格納部にあるメールを送信する処理である。メールの受信は、操作者のキー入力にしたがって、メールサーバ１９にあるメールを受信しメール格納部１１に格納する処理である。メールの閲覧は、操作者のキー入力にしたがって、メール格納部１１にあるメールを図示しない液晶画面などのような表示装置に表示する処理である。
【００１４】
メールの送信について、詳細に説明する。メールの送信は、メール制御部９によってメール格納部１１からメールが読み出されると同時に、携帯電話網／データ通信網切り替え部２にこれからメールを送るという制御信号を送る。携帯電話網／データ通信網切り替え部２は携帯電話網送受信部１側に通信パスを切り替えて、通信路を形成する。メールは携帯電話網送受信部１から送信され、携帯電話網基地局１５および携帯電話網１７およびインターネット網１８を介して、相手に送信される。
【００１５】
しかしながら、前述のごとく、携帯電話網１７を介した通信は通信速度が遅くさらに通信料金が高い。これを改善するため、メールを作成する際にメールの緊急度を示す情報を付加し、これをメール緊急度情報格納部１０に格納する。メール送信の際、メール格納部１１に格納されているメールに対応する緊急度をメール緊急度情報格納部１０から読み出し、その緊急度が高くないのであれば以下の手順でメールの送信をおこなう。
【００１６】
まず、電波強度測定部４にて一定間隔ごとに無線通信アクセスポイント１６の電波強度を測定し、ある一定値以上検出した場合、携帯電話網／データ通信網切り替え部２に信号を送る。この信号はメール制御部９にも送られ、メール格納部１１からメールを読み出すとともに、携帯電話網／データ通信網切り替え部２は無線通信送受信部３側に通信パスを切り替えて、通信路を形成する。メールは無線通信送受信部３から送信され、無線通信アクセスポイント１６およびインターネット網１８を介して、相手に送信される。
【００１７】
携帯端末２１の第３の機能として、インターネットのＷｅｂアクセス機能がある。ｗｅｂとはインターネットやイントラネットで標準的に用いられるドキュメントシステムでＨＴＭＬ（Hyper Text Markup Language）という言語で文書の論理構造や見栄えを記述し、文書の中に画像や音声など文字以外のデータや、他の文書の位置（ハイパーリンク）を埋め込むことができる。インターネット標準のドキュメントシステムとして１９９０年代中頃から爆発的に普及し、現在では世界規模での巨大なｗｅｂ網が築かれておりインターネットで最も多く利用されるアプリケーションである。Ｗｅｂアクセス機能は、操作者の操作によって、インターネット網１８に接続されているＷｅｂサーバ２０にアクセスし、そこから情報を受信し、図示しない液晶画面などの表示装置に表示するというものである。
【００１８】
Ｗｅｂのアクセスは、Ｗｅｂアクセス制御部１２によってＵＲＬと呼ばれるインターネット上でのサーバの位置を示すデータが送信される。同時に、携帯電話網／データ通信網切り替え部２は携帯電話網送受信部１側に通信パスを切り替えて、通信路を形成する。メＵＲＬデータは携帯電話網送受信部１から送信され、携帯電話網基地局１５および携帯電話網１７およびインターネット網１８を介して目的のＷｅｂサーバ２０に接続し、ＨＴＭＬドキュメントあるいはデータファイルを要求する。要求されたＨＴＭＬドキュメントあるいはデータファイルはＷｅｂサーバ２０から送信され、インターネット網１８および携帯電話網１７および携帯電話網基地局１５を介して携帯電話網送受信部１で受信される。
【００１９】
受信したＨＴＭＬドキュメントあるいはデータファイルは携帯電話網／データ通信網切り替え部２を介して、Ｗｅｂアクセス制御部に送られ、データの種類によって処理がなされる。しかしながら前述のごとく、携帯電話網１７を介した通信は通信速度が遅くさらに通信料金が高い。さらに近年は音声や映像などのマルチメディアデータなどを扱うことも多く、そのデータサイズは大きいものとなってきている。
【００２０】
このファイルのダウンロードについて詳細に説明する。これを改善するため、ファイルをダウンロードする時、ファイルのあるアドレスやファイル名をファイル情報格納部１３に格納する。電波強度測定部４にて一定間隔ごとに無線通信アクセスポイント１６の電波強度を測定し、ある一定値以上検出した場合、携帯電話網／データ通信網切り替え部２に信号を送る。この信号はＷｅｂアクセス制御部１２にも送られ、ファイル情報格納部１３からファイルのアドレス情報やファイル名情報を読み出すとともに、携帯電話網／データ通信網切り替え部２は無線通信送受信部３側に通信パスを切り替えて、通信路を形成する。
【００２１】
ファイル情報は無線通信送受信部３から送信され、無線通信アクセスポイント１６およびインターネット網１８を介して、ｗｅｂサーバ２０に送信される。要求されたデータファイルはＷｅｂサーバ２０から送信され、インターネット網１８および携帯電話網１７および携帯電話網基地局１５を介して携帯電話網送受信部１で受信される。受信したデータファイルは携帯電話網／データ通信網切り替え部２を介して、Ｗｅｂアクセス制御部に送られ、ファイル格納部１４に格納される。
【図面の簡単な説明】
【００２２】
【図１】図１は、本発明の実施例１を示すブロック図である。
【符号の説明】
【００２３】
１    携帯電話網送受信部
２    携帯電話網／データ通信網切り替え部
３    無線通信送受信部
４    電波強度測定部
５    通話制御部
６    音声制御部
７    音声出力部
８    音声入力部
９    メール制御部
１０    メール緊急度情報格納部
１１    メール格納部
１２    ｗｅｂアクセス制御部
１３    ファイル情報格納部
１４    ファイル格納部
１５    携帯電話網基地局
１６    無線通信アクセスポイント
１７    携帯電話網
１８    インターネット網
１９    メールサーバ
２０    ｗｅｂサーバ
２１    携帯端末
【図１】
2007158905.tif 000003